(57)【要約】【課題】従来必要であった圧板開閉センサを取り除き、コストの面で有利としたうえで、圧板の閉まる時間を短くし、原稿サイズの検知が可能となる画像読取装置を提供する。【解決手段】原稿照射手段と、原稿照射手段により原稿を走査して原稿の複数ラインの画像データを取得し、画像データを用いて原稿の主走査サイズを判定する画像読取装置において、原稿外の特定スポットの画素レベルをモニタすることにより原稿台上の原稿を押圧するための圧力板の開閉状態を判断する。取得した圧力板の開閉状態により、照射手段の光量を変化させことも可能である。【選択図】図１２
2007110655.tif 000002
【特許請求の範囲】
【請求項１】
原稿照射手段と、前記原稿照射手段により原稿を走査して原稿の複数ラインの画像データを取得し、前記取得した画像データを用いて原稿の主走査サイズを判定する手段と、を備える画像読取装置であって、
原稿載置領域外の特定位置の画像データに基づいて原稿台上の原稿を押圧するための圧板の開閉状態を判断する第１の判断手段を備えることを特徴とする画像読取装置。
【請求項２】
前記特定位置は、主走査方向の原稿載置領域外となる位置であることを特徴とする請求項１記載の画像読取装置。
【請求項３】
前記特定位置は、主走査方向の前記圧板の開閉部側の原稿載置領域外となる位置であることを特徴とする請求項１又は２記載の画像読取装置。
【請求項４】
前記特定位置の画像データに基づいて圧板の開放角度を判断する第２の判断手段を備えることを特徴とする請求項１から３のいずれか１項に記載の画像読取装置。
【請求項５】
前記第２の判断手段は、圧板の開閉角度と前記特定位置の画素値を予め取得し、テーブル化したうえで、前記テーブルの画素値と比較することで前記圧板の開放角度を判断することを特徴とする請求項１から４のいずれか１項に記載の画像読取装置。
【請求項６】
前記原稿照射手段による照射の光量を変化させる変化手段を備え、
前記変化手段は、前記第２の判断手段により判断された圧板の開放角度を元に、前記原稿照射手段の光量を変化させることを特徴とする請求項４又は５記載の画像読取装置。
【請求項７】
前記変化手段は、前記第２の判断手段により判断された圧板の開放角度を元に、圧板が大きく開放されている場合には前記原稿照射手段の光量を通常時よりも落とすことを特徴とする請求項６記載の画像読取装置。
【請求項８】
前記変化手段は、前記第２の判断手段により判断された圧板の開放角度を元に、圧板が小さく開放されている、すなわち閉じられそうな場合には前記原稿照射手段の光量を通常時よりも上げることを特徴とする請求項６記載の画像読取装置。
【請求項９】
原稿照射工程と、前記原稿照射工程により原稿を走査して原稿の複数ラインの画像データを取得し、前記取得した画像データを用いて原稿の主走査サイズを判定する工程と、を備える画像読取方法であって、
原稿載置領域外の特定位置の画像データに基づいて原稿台上の原稿を押圧するための圧板の開閉状態を判断する第１の判断工程を備えることを特徴とする画像読取方法。
【請求項１０】
前記特定位置は、主走査方向の原稿載置領域外となる位置であることを特徴とする請求項９記載の画像読取方法。
【請求項１１】
前記特定位置は、主走査方向の前記圧板の開閉部側の原稿載置領域外となる位置であることを特徴とする請求項９又は１０記載の画像読取方法。
【請求項１２】
前記特定位置の画像データに基づいて圧板の開放角度を判断する第２の判断工程を備えることを特徴とする請求項９から１１のいずれか1項に記載の画像読取方法。
【請求項１３】
前記第２の判断工程は、圧板の開閉角度と前記特定位置の画素値を予め取得し、テーブル化したうえで、前記テーブルの画素値と比較することで前記圧板の開放角度を判断することを特徴とする請求項９から１２のいずれか1項に記載の画像読取方法。
【請求項１４】
前記原稿照射工程による照射の光量を変化させる変化工程を備え、
前記変化工程は、前記第２の判断工程により判断された圧板の開放角度を元に、前記原稿照射工程の光量を変化させることを特徴とする請求項９から１３のいずれか1項に記載の画像読取方法。
【請求項１５】
前記変化工程は、前記第２の判断工程により判断された圧板の開放角度を元に、圧板が大きく開放されている場合には前記原稿照射工程の光量を通常時よりも落とすことを特徴とする請求項１４記載の画像読取方法。
【請求項１６】
前記変化工程は、前記第２の判断工程により判断された圧板の開放角度を元に、圧板が小さく開放されている、すなわち閉じられそうな場合には前記原稿照射工程の光量を通常時よりも上げることを特徴とする請求項１４記載の画像読取方法。
【発明の詳細な説明】
【技術分野】
【０００１】
本発明は、画像読取装置及び画像読取方法、特に画像読取部にて原稿サイズ検知を行う画像読取装置及び画像読取方法に関わる。
【背景技術】
【０００２】
従来、原稿読取装置において、ブック読取り時に原稿サイズを検知する方式として赤外線センサが用いられていたが、近年は、原稿読取り用のラインセンサを用いて原稿サイズを検知する方式が用いられるようになってきている。ここで、原稿サイズを検知する場合は、主走査サイズのみならず副走査方向のサイズも必要になるが、ラインセンサを用いて副走査方向の原稿サイズ検知を行おうとすると、原稿面をプレスキャンする必要があり、スキャン速度等に影響を及ぼしてしまう。従って、実際には、副走査方向の原稿サイズ検知は従来通り赤外線センサにて行い、主走査方向検知のみラインセンサ読取データを使う方式が主流となっている。
【０００３】
上記のような主走査方向のみ検知する方式をとる原稿サイズ検知装置が、いくつか知られている。例えば、圧力板（以下、圧板）開放時に原稿に照射して反射光に基づいて濃度データを取得し、基準濃度値を基準として、画像データを白データ及び黒データに振り分け、これにより１ライン（主走査方向）の原稿サイズを判断する方式である（例えば、特許文献１参照）。このとき、原稿画像読取りライン（光源）の位置移動等、適切に対処し、サイズ検知を行う。
【０００４】
しかし、照明具の光等が外来光として白の画素で読み込まれ、原稿の端縁を正確に判別することが出来ない場合がある。そこで、圧板開放時にランプを消灯した場合と点灯した場合との２条件で画像データ（白データ及び黒データ）を取得し、これらを合成することで外乱光の影響を除き、より正確に原稿サイズを判別する技術（例えば、特許文献２参照）が提案されている。
【０００５】
しかし、上記技術は、２種類以上の読取画像データに基づき原稿サイズ検知の精度を上げるという点では効果があるが、圧板が閉まるまでの時間をより短くしたいという点は解決されていない。そこで、画像データを加算・平均化処理し、画像ノイズ等の影響を除去した上で、かかる平均回路の出力データと、設定された基準データを比較して、原稿サイズを検知する技術（例えば、特許文献３参照）が知られている。
【特許文献１】特開平１０−２５７２５５号公報
【特許文献２】特開２０００−１３８７９８号公報
【特許文献３】特開２００３−１９８８０９号公報
【発明の開示】
【発明が解決しようとする課題】
【０００６】
しかしながら、上記技術では、圧板が閉まるまでの時間は短くて済むが外来光による影響には対処しておらず、すなわち、ランプオン／オフ状態により誤動作する可能性が高くなってしまうという問題を有する。また、副走査方向の原稿サイズは、単純平均により出力しているという問題がある。また、圧板開閉センサにコストがかかる。また、圧板の開放時に照射されると、まぶしく、ユーザの目に影響を与える。
【０００７】
本発明はこのような状況に鑑みてなされたものであり、係る不具合を解決することを前提とし、従来必要であった圧板開閉センサを取り除き、コストの面で有利とした上で、圧板が閉まるまでの時間を短くし、原稿サイズを正確に検知することを目的としている。
【課題を解決するための手段】
【０００８】
請求項１記載の発明は、原稿照射手段と、前記原稿照射手段により原稿を走査して原稿の複数ラインの画像データを取得し、前記取得した画像データを用いて原稿の主走査サイズを判定する手段と、を備える画像読取装置であって、原稿載置領域外の特定位置の画像データに基づいて原稿台上の原稿を押圧するための圧板の開閉状態を判断する第１の判断手段を備えることを特徴とする画像読取装置である。
【０００９】
請求項２記載の発明は、請求項１記載の装置において、前記特定位置は、主走査方向の原稿載置領域外となる位置であることを特徴とする。
【００１０】
請求項３記載の発明は、請求項１又は２記載の装置において、前記特定位置は、主走査方向の前記圧板の開閉部側の原稿載置領域外となる位置であることを特徴とする。
【００１１】
請求項４記載の発明は、請求項１から３のいずれか１項に記載の装置において、前記特定位置の画像データに基づいて圧板の開放角度を判断する第２の判断手段を備えることを特徴とする。
【００１２】
請求項５記載の発明は、請求項１から４のいずれか１項に記載の装置において、前記第２の判断手段は、圧板の開閉角度と前記特定位置の画素値を予め取得し、テーブル化したうえで、前記テーブルの画素値と比較することで前記圧板の開放角度を判断することを特徴とする。
【００１３】
請求項６記載の発明は、請求項１から５のいずれか１項に記載の装置において、前記原稿照射手段による照射の光量を変化させる変化手段を備え、前記変化手段は、前記第２の判断手段により判断された圧板の開放角度を元に、前記原稿照射手段の光量を変化させることを特徴とする。
【００１４】
請求項７記載の発明は、請求項６記載の装置において、前記変化手段は、前記第２の判断手段により判断された圧板の開放角度を元に、圧板が大きく開放されている場合には前記原稿照射手段の光量を通常時よりも落とすことを特徴とする。
【００１５】
請求項８記載の発明は、請求項６に記載の装置において、前記変化手段は、前記第２の判断手段により判断された圧板の開放角度を元に、圧板が小さく開放されている、すなわち閉じられそうな場合には前記原稿照射手段の光量を通常時よりも上げることを特徴とする。
【００１６】
請求項９記載の発明は、原稿照射工程と、前記原稿照射工程により原稿を走査して原稿の複数ラインの画像データを取得し、前記取得した画像データを用いて原稿の主走査サイズを判定する工程と、を備える画像読取方法であって、原稿載置領域外の特定位置の画像データに基づいて原稿台上の原稿を押圧するための圧板の開閉状態を判断する第１の判断工程を備えることを特徴とする画像読取方法である。
【００１７】
請求項１０記載の発明は、請求項９記載の方法において、前記特定位置は、主走査方向の原稿載置領域外となる位置であることを特徴とする。
【００１８】
請求項１１記載の発明は、請求項９又は１０記載の方法において、前記特定位置は、主走査方向の前記圧板の開閉部側の原稿載置領域外となる位置であることを特徴とする。
【００１９】
請求項１２記載の発明は、請求項９から１１のいずれか1項に記載の方法において、前記特定位置の画像データに基づいて圧板の開放角度を判断する第２の判断工程を備えることを特徴とする。
【００２０】
請求項１３記載の発明は、請求項９から１２のいずれか1項に記載の方法において、前記第２の判断工程は、圧板の開閉角度と前記特定位置の画素値を予め取得し、テーブル化したうえで、前記テーブルの画素値と比較することで前記圧板の開放角度を判断することを特徴とする。
【００２１】
請求項１４記載の発明は、請求項９から１３のいずれか1項に記載の方法において、前記原稿照射工程による照射の光量を変化させる工程を備え、前記変化工程は、前記第２の判断工程により判断された圧板の開放角度を元に、前記原稿照射工程の光量を変化させることを特徴とする。
【００２２】
請求項１５記載の発明は、請求項１４記載の方法において、前記変化工程は、前記第２の判断工程により判断された圧板の開放角度を元に、圧板が大きく開放されている場合には前記原稿照射工程の光量を通常時よりも落とすことを特徴とする。
【００２３】
請求項１６記載の発明は、請求項１４記載の方法において、前記変化工程は、前記第２の判断工程により判断された圧板の開放角度を元に、圧板が小さく開放されている、すなわち閉じられそうな場合には前記原稿照射工程の光量を通常時よりも上げることを特徴とする。
【発明の効果】
【００２４】
本発明によれば、従来必要であった圧板（圧板）開閉センサを取り除くことができるため、コストの面で有利となる。
【発明を実施するための最良の形態】
【００２５】
以下に、本発明の実施形態に係る画像読取装置及び画像読取方法を、図面を用いて詳細に説明する。なお、以下に述べる実施の形態は、本発明の好適な実施の形態であるから、技術的に好ましい種種の限定が付されているが、本発明の範囲は、以下の説明において特に本発明を限定する旨の記載がない限り、これらの態様に限られるものではない。
【００２６】
図１は、本発明の実施形態に係る画像読取装置の概略構成を示す断面図である。本実施形態に係る画像読取装置は、原稿面をなすコンタクトガラス１上に置いた原稿１０に対してランプ２により光を照射し、第１ミラー３、第２ミラー４、第３ミラー５によって反射させた光をレンズ８によって集光し、ＣＣＤ９上に結像する。ランプ２及び第１ミラー３が距離Lだけ進む間に第２ミラー４、第３ミラー５は距離Ｌ／２だけ進む。このことにより、光学系の光路長を一定に保ち、原稿全体を走査する。
【００２７】
図２は、図１に示す画像読取装置の機械構成を示す斜視図である。ランプ２と第１ミラー３を備えた第１キャリッジ６は駆動ワイヤ１１に取り付けられ,第２ミラー４、第３ミラー５、を備えた第２キャリッジ７はプーリ１２に駆動ワイヤが巻きつけられる。駆動軸１４に繋がれたワイヤプーリ１５に駆動ワイヤ１１を巻きつけ、タイミングプーリ１６とタイミングベルト１７によって、モータ１８の駆動を伝達する。第１キャリッジ６の一端がホームポジションセンサ１３を横切ってからある一定距離をリターンさせた位置をホームポジションとする。
【００２８】
図３は、本発明の実施形態に係る一連のコピー動作における電装ブロック図を示す。スキャナ２０に原稿をセットしてスタートキーを押下すると、スキャナ２０にて原稿読み取り、ＩＰＵ２１内で一連の画像処理を行い、プリンタ２２に画像データを出力し、紙排出が行われる。スキャナ２０、ＩＰＵ２１、プリンタ２２内の必要なパラメータはＣＰＵの持つＲＡＭ２４内に保持されており、ＣＰＵ２３により各デバイスに設定が行われる。またパラメータ設定に必要なモード情報は操作部２５を使ってユーザが指定できるような構成となっており、操作部２５内になるＣＰＵ２６とＣＰＵ２３とが通信を行うことで情報の交換を行っている。また、操作部２５内のＣＰＵ２６は表示部２７に情報を表示する。
【００２９】
図４は、本発明の実施形態に係るＩＰＵ２１内のブロック構成図である。スキャナ２０から受け取った原稿読み取りデータに対し、所望の画像処理を実施するが、原稿サイズ検知動作を行う場合、画像処理モジュール３０に接続された複数ラインメモリ３１にその画像データを蓄える。複数ラインメモリ３１を制御するメモリコントロール３２を併せ持ち、ＣＰＵ２３から複数ラインメモリ３１データのリード／ライトが可能となっている。
【００３０】
図１２は、本発明の実施形態に係る原稿サイズ検知動作シーケンスを示すフローチャートである。以下、図１２を用いて原稿サイズ動作を説明する。
【００３１】
キャリッジが原稿サイズ検知位置に載置され、かつ圧板が閉められたことを検知、もしくはユーザが原稿の読取りを開始した時点で原稿サイズ検知動作の開始する。圧板の開閉は、ＤＦ開閉センサのＯＮ／ＯＦＦによって検知する。原稿サイズ検知が開始されると、第１に原稿サイズ検知のために必要な準備を行う（ステップＳ２０）。ステップＳ２０においては図６、図７に示すような原稿サイズ検知のための原稿読取りタイミングの設定、および必要に応じてシェーディング補正に必要な準備設定を実行する。
【００３２】
ステップＳ２０で準備が完了すると、原稿読取りのために原稿の照射を開始する（ステップＳ２１）。ステップＳ２１では、ランプ点灯を実行する。図１２において、ステップＳ２０およびステップＳ２１は順次処理するような記載となっているが、特に順序の規定はなく、並行処理することも可能である。ステップＳ２０およびステップＳ２１の処理が完了した時点で原稿の読取りを実行する（ステップＳ２２）。ステップＳ２２では、原稿サイズ用のライト信号を発生し、ライト信号の有効期間内の画像データ読取りを行って処理を終了する。このとき、キャリッジを移動させて原稿を走査しながら読取りを実行するか、もしくはキャリッジを原稿サイズ検知位置に停止させたまま読取りを実行し、２ライン以上の読取り画像データを取得しても良い。キャリッジを移動させて原稿を走査しながら読取りを実行する場合には、原稿上の異なる位置の画像を読取ることが可能であり、原稿上の画像データの内容によって原稿サイズの誤検知を招くことを防止するとともに読取りと同時に並行してキャリッジを本来の原稿読取り（本スキャン）位置へ移動させるため、原稿検知後の本スキャン開始までの時間を短縮することができる。一方キャリッジを原稿サイズ検知位置に停止させたまま読取れば、原稿台に対する外光の影響や原稿照射用のランプの点灯状態の変化を画像データの内容から明確検出することが可能になるという利点もある（キャリッジを移動させる場合でも検出は不可能ではない）。
【００３３】
ステップＳ２２で原稿の読取りが完了したら、原稿の照射を終了するステップＳ２３。ただし、サイズ検知のための原稿読取りが完了した直後に本スキャンを開始するような場合には、ステップＳ２３の処理を実行せず原稿照射用のランプを点灯したままにする場合もあり得るが、図１２には本スキャンを実行するか否かの判断処理は記載しない。また、ステップＳ２２の処理は、以下に説明するステップＳ２４の処理との順序の規定はなく平行処理することも可能である。
【００３４】
ステップＳ２２の処理が完了した時点で、原稿サイズを解析するために読取った原稿画像データの取り出しを行う（ステップＳ２４）。本実施形態において、読取った原稿画像データの取り出しは、図４に記載されているＣＰＵ２３から複数ラインメモリ３１に保存されたデータを読み出すことで行われる。ステップＳ２４で取り出した画像データを解析し、原稿サイズの判定を行う（ステップＳ２５）。ステップＳ２５における解析の詳細は後述する各実施形態にて説明を行う。ステップＳ２５において、原稿サイズの判定が成功した場合には（ステップＳ２５／Ｙｅｓ）、ステップＳ２６で原稿サイズを決定する。原稿サイズの決定とは具体的には図４におけるＣＰＵ２３に接続されたプログラム実行用のメモリ２４（ＲＡＭ）に原稿サイズ情報を保存しておくことであり、以降は必要に応じて決定した原稿サイズ情報を読み出して利用する。原稿サイズの決定後は、原稿サイズ検知動作を完了する。
【００３５】
ステップＳ２５において、原稿サイズの判定に失敗した場合には（ステップＳ２５／Ｎｏ）、原稿サイズを決定せず、原稿サイズ検知動作を完了する。原稿サイズの判定が失敗する例としては、真黒な原稿であった場合や、原稿台に対する外光の影響や原稿照射用のランプの点灯状態（ランプをＯＮしたが光量が安定していない状態で読取りを実行する等）によって、読取りデータから原稿のサイズを判定することができない場合が考えられる。
【００３６】
以上が本発明の実施形態に係る原稿サイズ検知動作の基本シーケンスである。
【００３７】
次にステップＳ２５における原稿画像データの解析（原稿サイズの判定）について詳細に説明する。図５にメモリコントロール３２の一例を示す。ラインセンサ読み取り１ラインの基準となるＸＬＳＹＮＣ信号と画素クロックであるところのＰＣＬＫ、ラインセンサ読み取り開始トリガを示すＸＦＳＹＮＣ信号を画像処理モジュール３０から受け取り、複数ラインメモリ３１にライトリセット（ＸＷＲＳＴ）信号とライトイネーブル（ＸＷＥ）信号を渡している。それと共にＣＰＵ２３からメモリライト領域を示す主走査スタート、主走査幅、副走査スタート、副走査幅の４つのパラメータを受け取り、２つの基準信号：ＸＦＳＹＮＣ、ＸＬＳＹＮＣからメモリのライト位置を確定する。
【００３８】
図６に副走査方向のタイミングを、図７に主走査方向のタイミングを示す。メモリコントロールとして上記構成を持つことにより、図８に示すような２次元方向の複数パッチのデータを同時にメモリに書き込むことが可能となる（斜線部がメモリ書込み領域を示す。）パラメータ、タイミングとして主走査方向、副走査方向としたが、本発明における副走査方向は原稿読み取りに対する副走査方向のみならず、時間の経過をも示すものとしている。図８の横軸ｔは時間の経過を示す例で、Ｔ１、Ｔ２での読取パッチの位置を示している。
【００３９】
図９に、図１２の基本フローチャートの中のステップＳ２４（画像データを取り出すステップ）の実施形態を示す。図８に示すパッチデータを複数ラインメモリ３１から１パッチずつＣＰＵ２３の持つＲＡＭ２４に読み出し、１パッチの平均値を求め２値化を行うことで、パッチの白黒判定を行っている。図９のフローチャートに従って説明する。白黒判定フロースタートし、ステップＳ１にて１パッチ内の画素数を設定する。その後複数ラインメモリ３１から１画素単位でリードを行い（ステップＳ２）、設定されたＮ画素の加算を行う（ステップＳ３、４）。その後ステップＳ５にて１パッチ内の平均値を求め、そのパッチの２値化を行う。その結果からパッチの黒画素、白画素を判定し（ステップＳ６、７、８）白黒判定フローを終了する。平均値を求めるフローとしてＮ画素全加算のあと全平均としている（ステップＳ３、５）が、例えば主走査方向だけの加算を行い１ラインでの平均を求め、その後次のラインの加算と平均を繰り返し、最終判定を行う方式でも本発明には何ら影響は無い。
【００４０】
次に、本発明の他の実施形態を図１１を使って説明する。原稿サイズ検知の基本的なアルゴリズムは、圧板が開いている時に原稿の白地部分と原稿外の原稿の無い部分が反射光が無く黒になることを利用している。つまり図１１だとＴＨよりも明るい場合が原稿有り、ＴＨよりも暗い場合が原稿無しとして判定することとなる。ところが、図１１にあるように地肌濃度が暗い原稿の場合、原稿内を読み取ってもＴＨを越えず原稿無しと誤判定してしまう。これを防ぐために図９のステップＳ６にあるように時間Ｔ１、Ｔ２で読み取ったパッチをＰＡＴ１、ＰＡＴ２とし、ＰＡＴ１とＰＡＴ２との差分値を求め、ΔＤ以上差分がある場合にはＴＨを越えない場合でも原稿有りと判断するようにしている。図５のＣＰＵ２３からのパラメータ設定として主走査方向スタート／幅、副走査方向スタート／幅に加え、ΔＤ設定を追加する。
【００４１】
次に、図１２の基本フローチャートの中のステップＳ２５、画像データを解析する実施形態を示す。読み取りパッチとして図８に示すようにＬ（ｎ）ＩＮとＬ（ｎ）ＪＵＤＧＥを用いている。Ｌ（ｎ）のｎはラインセンサ読み取りスタートしてから何回目の読み取りかを示し（時間経過を示す）、ＩＮとＪＵＤＧＥは主走査方向の位置を示し、ＩＮが検知対象原稿すべて原稿内に入る主走査位置を、ＪＵＤＧＥが原稿により原稿内／外が切り替わる主走査位置を示している。図１０のフローチャートに従い説明する。検知フローを開始し、ステップＳ１０にて検知回数Ｎを設定し、初期値としてｎ＝１を設定する。ｎが検知回数Ｎを超えていないかどうか判断し（ステップＳ１１）、Ｎを超えていた場合（ステップＳ１１／Ｎｏ）、検知できずと判断し検知フローを抜けてしまう。ｎ＝Ｎになるまでは以下の判定を繰り返す。Ｌ（ｎ）ＩＮが白かどうかを判定する（ステップＳ１２）。原稿内も黒である場合は（ステップＳ１２／Ｎｏ）、ランプオフと判断し、ｎ＝ｎ＋１として（ステップＳ１３）、ステップＳ１１に戻る。Ｌ（ｎ）ＩＮが白だった場合（ステップＳ１２／Ｙｅｓ）、Ｌ（ｎ）ＪＵＤＧＥの判定結果を検知候補とし（ステップＳ１４）、次のステップに進む。検知候補を得たｎにプラス１を行い、次の読み取り結果の判定を行う（ステップＳ１５）。Ｌ（ｎ）ＪＵＤＧＥが黒かどうかを判定する（ステップＳ１６）。白だった場合（ステップＳ１６／Ｎｏ）、圧板が閉じてしまった可能性が高いため、ここでの判断は行わず前回検知候補だった結果をそのまま用いることとする。すなわち、（Ｎ＋１）回目で圧板閉可能性大であるので、Ｎ回目は有効とする。もし黒であった場合は（ステップＳ１６／Ｙｅｓ）、前回よりもランプがより安定していると考えられるので、今回の判定結果を用いることとする（ステップＳ１７）。最後に原稿サイズ検知フローを終了する。
【００４２】
以上が本発明の実施形態に係るサイズ検知に関する基本シーケンスである。
【００４３】
図１３は、本発明の実施形態に係るサイズ検知に関し、原稿の積載位置をコンタクトガラスの左上を基準とした場合を示す図である。図に示すように、主走査方向後端部では原稿領域にかからない領域が存在する。この必ず原稿外となる特定位置の画素値をモニタすることで圧板の開閉状態を判断する。一般的に圧板の下(原稿を押圧する部分)は、原稿の裏写り防止などの理由から白い素材を使用している。このことから、原稿外特定位置の画素が白であると判断できた場合には、圧板閉状態であり、黒であると判断できた場合には、圧板開状態である。原稿サイズ検知を利用して、原稿外特定画素位置の画像データが白か黒かの判断を行う。キャリッジは原稿読取中でなければ常に原稿サイズ検知位置に停止している。また、ランプは常に照射されていることとし、キャリッジが原稿サイズ検知位置に停止しているときは常に原稿外特定位置の画素値をモニタすることとする。
【００４４】
上記実施形態により、光源と画像読取手段のみにより圧板の開閉状態を判断し、従来必要であった圧板開閉センサを取り除くことができるため、コストの面で有利となる。
【００４５】
上記実施形態で、原稿外特定画素位置の画像データを閾値により白か黒の判断を行い、圧板開閉の判断を行った。ここで、圧板の開閉角度によって画像データの値が変化するので、これを利用し、開閉の２値のみでなく画像データの値から圧板の開閉角度を判断することも可能である。従って圧板の開閉角度と原稿外特定画素位置の画素値を取得しておき、テーブル化して保持する（図１４参照）。原稿外特定画素位置の画素値を判断する際にテーブルの画素値と比較することで圧板の開閉角度を算出する。
【００４６】
上記実施形態により、特殊な角度を検知するセンサの追加なしに圧板の開放角度を判断できるためコストの面で有利となる。
【００４７】
次に、本発明の他の実施形態について説明する。
ランプの点灯状態として３つの状態を用意する。
１．光量ダウン中
２．通常点灯中
３．光量アップ中
１は圧板開放角度大の際のランプの点灯状態である。光量を低下させるので、画像データの変化するレンジが狭くなるためサイズ検知精度は落ちる。ただし、この状態ではサイズ検知を行なわず、圧板の開放状態が検出できれば良いだけであるため、サイズ検知精度は要求しない。２は通常時のランプ点灯状態である。原稿の読取りが十分可能な光量レベルを想定する。３は圧板閉直前の開放角度小の際のランプの点灯状態である。光量を増加させるので、画像データの変化するレンジが広くなるためサイズ検知精度は上がる。あらかじめ、それぞれの点灯状態での圧板の開閉角度と原稿外特定画素位置の画素値を取得し、テーブル化して保持する。すなわち、ランプの状態ごとの３つのテーブルを作成する。原稿外特定画素位置の画素値を判断する際に、ランプの点灯状態を元にテーブルを選択し、選択されたテーブルの画素値と比較することで圧板の開閉角度を算出する。
【００４８】
各ランプの点灯状態は図１５のように遷移する。すなわち、原稿読取り中は通常点灯、読取りが終了した際に、圧板開閉角度大なら光量ダウンへ、圧板開閉角度小なら光量アップへ、その後圧板の開閉角度の変化に追従して光量アップ/ダウンを繰り返す。読取り中になれば通常点灯へ遷移する。なお、本発明では原稿サイズ検知を行う具体的なタイミングについては限定しないが、圧板の開閉変化時(開→閉)や、圧板開状態での読取スタートボタン押下時に行うことが一般的である。
【００４９】
上記実施形態により、圧板開放時にはランプの光量を落とすことで、ランプ点灯によるまぶしさを緩和し、ユーザの目を保護することができる。また、不要時に光量を落とすことで、消費電力を緩和させ、コストの面でも有利となる。
【００５０】
また、上記実施形態により、圧板閉直前に実施する原稿サイズ検知において十分なランプ光量を得ることで、光量不足によるサイズ誤検知を緩和することができる。
【００５１】
また、上記実施形態により、適切にランプ光量をコントロールすることで、ランプ点灯によるまぶしさの緩和や、光量不足によるサイズ誤検知の緩和、といった利点を合わせ持った画像読取装置を提供することができる。
【００５２】
以上、本発明者によってなされた発明を好適な実施の形態に基づき具体的に説明したが、本発明は上記のものに限定されるものではなく、その要旨を逸脱しない範囲で種種変更可能であることは言うまでもない。
【図面の簡単な説明】
【００５３】
【図１】本発明の実施形態に係る画像読取装置の概略構成を示す断面図である。
【図２】本発明の実施形態に係る画像読取装置の機械構成を示す斜視図である。
【図３】本発明の実施形態に係るラインセンサ読み取りにおけるディジタル複写機の電装ブロック図である。
【図４】本発明の実施形態に係るＩＰＵ内のブロック図である。
【図５】本発明の実施形態に係るＩＰＵ内、メモリコントロールのブロック図である。
【図６】本発明の実施形態に係るＩＰＵ内、メモリコントロールの副走査方向タイミングチャートである。
【図７】本発明の実施形態に係るＩＰＵ内、メモリコントロールの主走査方向タイミングチャートである。
【図８】本発明の実施形態に係るパッチ読み取りの１実施形態である。
【図９】本発明の実施形態に係る白黒判定フローチャートである。
【図１０】本発明の実施形態に係るサイズ検知フローチャートである。
【図１１】本発明の実施形態に係る白黒判定、差分値比較の実施形態である。
【図１２】本発明の実施形態に係るラインセンサ読み取りにおける原稿サイズ検知基本フローチャートである。
【図１３】本発明の実施形態に係る画像読取装置において、コンタクトガラス上に積載した原稿と原稿外特定画素位置のレイアウトである。
【図１４】本発明の実施形態に係る開放角度と原稿外特定画素の画素値の関係を示すテーブルである。
【図１５】本発明の実施形態に係るランプの点灯状態の遷移図である。
【符号の説明】
【００５４】
１    コンタクトガラス
２    ランプ（光源）
３    第１ミラー
４    第２ミラー
５    第３ミラー
６    第１キャリッジ
７    第２キャリッジ
８    レンズ
９    ＣＣＤ
１０    原稿
１１    駆動ワイヤ
１２    プーリ
１３    ホームポジションセンサ
１４    駆動軸
１５    ワイヤプーリ
１６    タイミングプーリ
１７    タイミングベルト
１８    モータ
２０    スキャナ
２１    ＩＰＵ
２２    プリンタ
２３    ＣＰＵ
２４    ＲＡＭ
２５    操作部
２６    ＣＰＵ
２７    表示部
３０    画像処理モジュール
３１    複数ラインメモリ
３２    メモリコントロール
【図１】
2007110655.tif 000003
【図２】
2007110655.tif 000004
【図３】
2007110655.tif 000005
【図４】
2007110655.tif 000006
【図５】
2007110655.tif 000007
【図６】
2007110655.tif 000008
【図７】
2007110655.tif 000009
【図８】
2007110655.tif 000010
【図９】
2007110655.tif 000011
【図１０】
2007110655.tif 000012
【図１１】
2007110655.tif 000013
【図１２】
2007110655.tif 000014
【図１３】
2007110655.tif 000015
【図１４】
2007110655.tif 000016
【図１５】
2007110655.tif 000017